(57)【要約】【課題】工具を用いることなく容易な操作で椅子の着脱作業を行うことができる椅子の脚部を提供する。【解決手段】床面１に取り付けられる基部２０と、基部２０の脚柱取付部３０に挿入される脚柱部４０と、脚柱取付部３０と脚柱部４０とに連通するピン部材挿入部５０と、ピン部材挿入部５０に挿脱される略Ｌ字形状部材として形成されたピン部材６０とを備え、ピン部材挿入部５０にピン部材６０を挿脱して基部２０と脚柱部４０とを固定、取り外可能状態とする椅子の脚部において、ピン部材挿入部５０及びピン部材の寸法及び形状を、ピン部材挿入部にピン部材の延設部を挿入した状態でピン部材が自重でピン部材がピン部材挿入部５０内に傾斜した状態で配置されてピン部材６０のピン部材挿入部５０から抜脱が禁止され、ピン部材６０を回転させた状態でピン部材のピン部材挿入部への係合を解除して抜脱が自在とできるものとした。【選択図】図１
2008054791.tif 000002
【特許請求の範囲】
【請求項１】
床面に取り付けられる基板、及び、前記基板に立設されると共に側壁部にピン挿入穴が開設された円筒状の脚柱取付部を備える基部と、
前記柱取付部に挿入されると共に側壁部に前記基部のピン挿入穴と連通するピン挿通穴が開設された脚柱部と、
直線状の延設部、及び、該延設部の一端部から屈曲形成された係止部からなる略Ｌ字形状部材として形成されたピン部材と、
を備え、
前記脚柱取付部に脚柱部を挿入して前記ピン挿入穴と、このピン挿入穴に連通下前記ピン挿通穴とでピン部材挿入部を形成し、
形成されたピン部材挿入部に前記ピン部材を挿入して前記基部と前記脚柱部とを固定状態とし、ピン部材挿入部からピン部材を抜出し前記基部と前記脚柱部取り外可能状態する椅子の脚部であって、
前記ピン部材挿入部及び前記ピン部材の寸法及び形状を、
前記ピン部材挿入部に前記ピン部材の延設部を挿入した状態で前記ピン部材が自重で前記延設部の先端が前記基部の内部で下方に傾斜させて配置される共に前記係止部が前記基部の外部で斜め下方に傾斜させた状態で配置され、前記ピン部材前記ピン部材挿入部に接触して前記ピン部材挿入部から抜脱が禁止され、
前記ピン部材挿入部に前記ピン部材の延設部を挿入した状態で前記係止部を上方に向けた状態で前記ピン部材が前記ピン部材挿入部からの抜脱が自在となるものとして構成したことを特徴とする椅子の脚部。
【請求項２】
前記ピン部材挿入部にピン部材を挿入しとき前記ピン部材が前記ピン部材挿入部の内側面、前記脚柱取付部の外側における基板の上面、又は、前記取付部の内側における基板の上面に接触してピン部材がピン部材挿入部からの抜脱が禁止されることを特徴とする請求項１記載の椅子の脚部。
【請求項３】
前記ピン部材の係止部の軸線に総長さをＬ２とし、前記基部の上側面から前記ピン部材挿入部の中心までの高さをＨ２としたとき、
Ｈ２＜Ｌ２
としたことを特徴とする請求項１又は２記載の椅子の脚部。
【請求項４】
前記ピン部材挿入部及び前記ピン部材の寸法及び形状を、
前記ピン部材が前記ピン部材挿入部に挿入された状態で、前記ピン部材の係止部の先端が前記脚柱取付部の外側に位置する前記基板の上側面に接触し、前記ピン部材の係止部と延設部との屈曲個所が前記ピン部材挿入部の内面上側に接触し、前記ピン部材の延設部の延設部が前記ピン部材挿入部の内面下側に接触、ピン部材の係止部材の前記延設部を軸とする回転方向の姿勢を維持した状態でのピン部材挿入部からの抜脱方向の移動が禁止されるよう構成したことを特徴とする請求項１乃至３のいずれか記載の椅子の脚部。
【請求項５】
前記脚柱部には、該脚柱部を前記脚部取付部に挿入したとき前記脚部取付部に接触して前記基部と前記脚柱部との位置決めを行う位置決部材を配置していることを特徴とする請求項１乃至４のいずれか記載の椅子の脚部。
【請求項６】
前記脚部取付部の上縁部には、前記位置決部材が嵌入されて前記脚柱取付部と前記脚柱部の位置決めと回り止めを行う凹状切欠部が形成されていることを特徴とする請求項５記載の椅子の脚部。
【請求項７】
前記基板には床面への取付穴が開設されていることを特徴とする請求項１乃至６のいずれか記載の椅子の脚部。
【請求項８】
請求項１乃至７のいずれか記載の脚部を備えたことを特徴とする椅子。
【発明の詳細な説明】
【技術分野】
【０００１】
本発明は、椅子の脚部及び椅子に係り、特に床面に取り付けられる基部と、この基部に挿入される円筒状の延設部を備える脚柱部と、基部及び脚柱部に開設されるピン部材挿入部に挿入されるピン部材とを備える椅子の脚部及びこの脚部を備えた椅子に関する。
【背景技術】
【０００２】
遊技場において、パチンコ、スロットマシン等の遊技機の前には椅子が配置されており、遊技者は椅子に腰掛けて遊技を行う。このような椅子は、遊技機の前に固定されており、むやみに移動させることができないものとなっている。
【０００３】
しかし、さまざまな理由で固定されている椅子を移動させたいという要請がある。即ち、遊技機の前に車椅子を乗り入れるようにできるようにしたり、或いは床や椅子の清掃時に椅子を床から取り外したりようできることが要望されている。
【０００４】
この要望に対処した椅子として特許文献１に開示されたものがある。この椅子は、椅子の支持脚を固定する床固定用ベースに前記支持脚の下端部が嵌合する筒部を立設し、前記支持脚下部に遊嵌したリングナットと前記床固定用ベースの筒部に形成した螺合部により椅子の支持脚を装脱着自在としたものである。この椅子を床面から取り外すときには、床固定用ベースに固定している支柱のリングナットをスパナなどの工具を使用してゆるめ、椅子の支持脚を床固定用ベースから引き上げるようにしたものである。
【特許文献１】特開２００３−２５１０６１号公報
【発明の開示】
【発明が解決しようとする課題】
【０００５】
ところで、上述した特許文献１に記載された椅子では、椅子の支持脚を床固定用ベースから取り外したり、再び取り付けたりするためには、リングナットを螺合部から外したり取り付けたりする等の工具を用いた着脱作業を行わなければならない。しかしながら、椅子の清掃時等において、工具を用いて多数の支持脚の着脱作業を行うのは煩雑で時間と手間がかかるという問題がある。
【０００６】
そこで本発明は、工具を用いることなく容易な操作で椅子の着脱作業を行うことができる椅子の脚部を提供することを目的とする。
【課題を解決するための手段】
【０００７】
請求項１の発明は、床面に取り付けられる基板、及び、前記基板に立設されると共に側壁部にピン挿入穴が開設された円筒状の脚柱取付部を備える基部と、前記柱取付部に挿入されると共に側壁部に前記基部のピン挿入穴と連通するピン挿通穴が開設された脚柱部と、直線状の延設部、及び、該延設部の一端部から屈曲形成された係止部からなる略Ｌ字形状部材として形成されたピン部材と、を備え、前記脚柱取付部に脚柱部を挿入して前記ピン挿入穴と、このピン挿入穴に連通下前記ピン挿通穴とでピン部材挿入部を形成し、形成されたピン部材挿入部に前記ピン部材を挿入して前記基部と前記脚柱部とを固定状態とし、ピン部材挿入部からピン部材を抜出し前記基部と前記脚柱部取り外可能状態する椅子の脚部であって、前記ピン部材挿入部及び前記ピン部材の寸法及び形状を、前記ピン部材挿入部に前記ピン部材の延設部を挿入した状態で前記ピン部材が自重で前記延設部の先端が前記基部の内部で下方に傾斜させて配置される共に前記係止部が前記基部の外部で斜め下方に傾斜させた状態で配置され、前記ピン部材前記ピン部材挿入部に接触して前記ピン部材挿入部から抜脱が禁止され、前記ピン部材挿入部に前記ピン部材の延設部を挿入した状態で前記係止部を上方に向けた状態で前記ピン部材が前記ピン部材挿入部からの抜脱が自在となるものとして構成したことを特徴とする椅子の脚部である。
【０００８】
請求項２の発明は、請求項１記載の椅子の脚部において、前記ピン部材挿入部にピン部材を挿入したとき前記ピン部材が前記ピン部材挿入部の内側面、前記脚柱取付部の外側における基板の上面、又は、前記取付部の内側における基板の正面に接触してピン部材がピン部材挿入部からの抜脱が禁止されることを特徴とする。
【０００９】
請求項３の発明は、請求項１又は２記載の椅子の脚部において、前記ピン部材の係止部の軸線に総長さをＬ２とし、前記基部の上側面から前記ピン部材挿入部の中心までの高さをＨ２としたとき、Ｈ２＜Ｌ２としたことを特徴とする。
【００１０】
請求項４の発明は、請求項１乃至３のいずれか記載の椅子の脚部において、前記ピン部材挿入部及び前記ピン部材の寸法及び形状を、前記ピン部材が前記ピン部材挿入部に挿入された状態で、前記ピン部材の係止部の先端が前記脚柱取付部の外側に位置する前記基板の上側面に接触し、前記ピン部材の係止部と延設部との屈曲個所が前記ピン部材挿入部の内面上側に接触し、前記ピン部材の延設部の延設部が前記ピン部材挿入部の内面下側に接触、ピン部材の係止部材の前記延設部を軸とする回転方向の姿勢を維持した状態でのピン部材挿入部からの抜脱方向の移動が禁止されるよう構成したことを特徴とする。
【００１１】
請求項５の発明は、請求項１乃至４のいずれか記載の椅子の脚部において、前記脚柱部には、該脚柱部を前記脚部取付部に挿入したとき前記脚部取付部に接触して前記基部と前記脚柱部との位置決めを行う位置決部材を配置していることを特徴とする。
【００１２】
請求項６の発明は、請求項５記載の椅子の脚部において、前記脚部取付部の上縁部には、前記位置決部材が嵌入されて前記脚柱取付部と前記脚柱部の位置決めと回り止めを行う凹状切欠部が形成されていることを特徴とする。
【００１３】
請求項７の発明は、請求項１乃至６のいずれか記載の椅子の脚部において、前記基板には床面への取付穴が開設されていることを特徴とする。
【００１４】
請求項８の発明は、請求項１乃至７のいずれか記載の脚部を備えたことを特徴とする椅子である。
【発明の効果】
【００１５】
本発明に係る椅子の脚部及び椅子によれば、脚柱部を床に配置した基部から取り外すに際して、ピン部材挿入部挿入されたピン部材の係止部を上方に向けピン部材をピン部材挿入部から抜脱するだけでよいから、工具を使用することなく容易に作業を行うことができる。
【発明を実施するための最良の形態】
【００１６】
以下本発明を実施するための最良の形態を図面に基づいて説明する。図１は実施例に係る椅子を示す斜視図、図２は椅子の脚部の分解斜視図、図３は椅子の脚部の図３と反対方向からの斜視図、図４は椅子の脚部の組み立て状態を示す斜視図、図５は椅子の脚部の組み立て状態を示す図４と反対方向からの斜視図、図６は椅子の脚部の組み立て状態を示す平面図である。
【００１７】
本例に係る椅子１０は、遊技機（図示していない）の前側の床面１に位置変更ができないように多数が配置されている。この椅子１０は、図１に示すように、床面１に固定される基部２０とこの基部２０に取り付けられる脚柱部４０と、基部２０と脚柱部４０との固定を行うピン部材６０と、脚柱部４０の上部に配置される座面８０とから構成される。
【００１８】
基部２０は、床面１に図していないボルトなどで固定される鋼製の基板２１と、この基板２１に下端部が溶接されて立設固定される鋼製の脚柱取付部３０とから構成される。
【００１９】
図７は実施の形態例に係る椅子の脚部に使用する基部を示す平面図、図８は椅子の脚部に使用する基部を示す正面図である。基板２１は、例えば直径１３６ｍｍの円盤状であり、５個所に開設された取付用ボルトの挿通穴２２と、４個所に形成された補強用のリブ２３とを備える。また、基板２１の中央部には脚柱取付部３０立設用の環状凸部２４がプレス形成されている。
【００２０】
脚柱取付部３０は、内径φ２（例えば３８．５ｍｍ）外径φ３（例えば４４．５ｍｍ）の円筒部材３１であり、円筒部材３１の側壁には直径ｄ（例えば７．５ｍｍ）の３個所のピン挿入穴３２が所定の角度の間隔をおいて開設されている（図１０参照）。また、円筒部材３１の上端部には上縁に開口を開けた凹状切欠部３３が３個所にそれぞれ前記ピン挿入穴３２に相対する位置に形成されている。脚柱取付部３０は前記環状凸部２４内部に溶接して固定される。脚柱取付部３０の周囲には溶接ビード部２５が環状凸部２４の上に盛り上がって形成される。
【００２１】
脚柱部４０は、図２に示すように、前記脚柱取付部３０の円筒部材３１に嵌入できる前記φ２よりやや小さい外径を備えると共に、内径φ１（例えば３０．０ｍｍ）（図１０参照）である円筒部材４１と、この円筒部材４１の上方に固定された座面取付部材７０とからなる。脚柱部４０の円筒部材４１には、前記ピン挿入穴３２に嵌入され、脚柱取付部３０と脚柱部４０との高さ位置及び回転方向の位置を決定する位置決部材として係止片４３が固定されている。
【００２２】
また、脚柱部４０の円筒部材４１には、円筒部材４１を脚柱取付部３０に嵌入して、前記係止片４３が前記凹状切欠部３３に嵌入して係合したとき、前記ピン挿入穴３２と重ね合わされる位置に１つのピン挿入穴３２と同径、或いは、やや大きい直径のピン挿通穴４２を開設している。この脚柱部４０のピン挿通穴４２と脚柱取付部３０のピン挿入穴３２は脚柱部４０が脚柱取付部３０に挿入された状態で重なり合ってピン部材６０を内部まで挿入可能なピン部材挿入部５０を形成する。
【００２３】
この例では、基板２１の上面からピン部材挿入部５０の中心までの距離はＨ１（例えば１５．０ｍｍ）、溶接ビード部２５の上面からピン部材挿入部５０の中心までの距離はＨ２（例えば８ｍｍ）となるようにピン挿入穴３２、ピン挿通穴４２の開設位置が設定される。また、脚柱取付部３０と脚柱部４０との合計の厚さｔ（図１０参照）、即ちピン部材挿入部５０の奥行き寸法は１０ｍｍとした。
【００２４】
また、座面取付部材７０は鋼製の棒状部材であり先細りのテーパ形状をなしており、その先端に座面８０取付け用の溝部８１が形成されている。
【００２５】
図９は椅子の脚部のピン部材を示す平面図である。ピン部材６０は例えば直径６．０ｍｍの鋼製の棒部材を折り曲げ形成したものであり、長さＬ１（例えば４２．０ｍｍ）の延設部６１とこの延設部６１の先端から角度θ（例えば８０度）折り曲げて形成された長さＬ２（例えば１７．０ｍｍ）の係止部６２とから略Ｌ字状に形成されている。
【００２６】
次に本例に係る椅子の脚部の組み付け及び分解について説明する。図１０は椅子の脚部におけるピン部材の挿入状態を示す断面図、図１１は椅子の脚部におけるピン部材の挿入状態を示す図１０中Ａ方向からの矢視図に相当する平面図、図１２は椅子の脚部におけるピン部材の挿入状態を示す図１０中Ｂ方向からの矢視図に相当する正面図、図１３は椅子の脚部におけるピン部材の抜脱状態を示す断面図である。
【００２７】
まず、図２及び図３に示すように、床面１に基部２０を固定した状態で、基部２０の脚柱取付部３０に脚柱部４０を挿入する。このとき、図３及び図５に示すように、脚柱部４０の係止片４３を脚柱取付部３０の凹状切欠部３３に嵌め込むようにする。すると、図１０に示すように、脚柱取付部３０のピン挿入穴３２と脚柱部４０のピン挿通穴４２とが重なり合い、内部に連通するピン部材挿入部５０を形成する。この状態において、ピン部材挿入部５０にピン部材６０の延設部６１を挿入することができる。
【００２８】
ピン部材挿入部５０にピン部材６０の延設部６１を挿入すると、図１０、図１１及び図１２に示すように、延設部６１の長さＬ１が基部２０の上面からピン部材挿入部５０の中心までの距離Ｈ１より大きいため、ピン部材６０は円筒部材４１内部に挿入された状態において自重で傾斜して延設部６１の先端ａ２が脚柱取付部３０内に位置する基板２１の上面に接触又は近接する。である。また、係止部６２の長さＬ２が溶接ビード部２５の上面からピン部材挿入部５０の中心までの距離Ｈ２より大きいため、係止部６２の先端ａ３が溶接ビード部２５の上面に接触又は近接する。また、ピン部材挿入部５０内においてピン部材６０の屈曲部ａ１は、ピン部材挿入部５０の内壁上部に接触又は近接する。
【００２９】
この状態において、脚柱部４０は脚柱取付部３０内に配置された状態でピン部材挿入部５０においてピン部材６０が差し込まれた状態となり、脚柱部４０から脚柱取付部３０を引き抜くが禁止される。また、ピン部材６０に何の操作もしない状態で、ピン部材６０を引き抜こうとすると、ピン部材挿入部５０に屈曲した状態で配置されたピン部材６０がピン部材挿入部５０の縁部や内周面に接触して、ピン部材６０のピン部材挿入部５０からの移動は阻止されることとなる。
【００３０】
ピン部材６０をピン部材挿入部５０から引き抜くには、図１３に示すように、ピン部材６０の延設部６１をピン部材挿入部５０内に配置しつつ、延設部６１を中心として係止部６２を回転させて基板２１の上面から持ち上げるようにする。すると、ピン部材６０はピン部材挿入部５０の端縁又は周囲に接触しない状態となるので、ピン部材６０をピン部材挿入部５０から容易に引き抜くことができる。ピン部材６０をピン部材挿入部５０から引き抜くと、脚柱部４０を脚柱取付部３０から取り外すことができるようになる。
【００３１】
以上説明したように、本例によれば、ピン部材のピン部材挿入部への抜き差しだけで、工具を用いることなく基部と脚柱部との着脱作業を行うことができ、しかも一旦ピン部材挿入部に挿入したピン部材は簡単に取り外すことができないので、部外者によるピン部材の取り外操作を予防することができる。
【００３２】
尚、上記の例では、脚柱部の内径φ１、脚柱取付部の内径φ２、外径φ３、ピン挿入穴の直径ｄ、脚柱取付部と脚柱部との合計厚さｔ、基板からピン部材挿入部の中心までの距離Ｈ１、溶接ビード部上面からピン部材挿入部の中心までの距離Ｈ２、ピン部材の寸法Ｌ１，Ｌ２及び太さについては数値をあげて説明したが、これらの値はピン部材がピン部材挿入部に挿入された状態でピン部材の抜脱が禁止され、ピン部材を回転させることにより抜脱が可能となるように適宜設定することができる。
【図面の簡単な説明】
【００３３】
【図１】実施例に係る椅子の概略構成を示す斜視図である。
【図２】椅子の脚部の分解斜視図である
【図３】椅子の脚部の図３と反対方向からの斜視図である。
【図４】椅子の脚部の組み立て状態を示す斜視図である。
【図５】椅子の脚部の組み立て状態を示す図４と反対方向からの斜視図である。
【図６】椅子の脚部の組み立て状態を示す平面図である。
【図７】椅子の脚部の基部を示す平面図である。
【図８】椅子の脚部の基部を示す正面図である。
【図９】椅子の脚部のピン部材を示す平面図である。
【図１０】椅子の脚部におけるピン部材の挿入状態を示す断面図である。
【図１１】椅子の脚部におけるピン部材の挿入状態を示す図１０中Ａ方向からの矢視図に相当する平面図である。
【図１２】椅子の脚部におけるピン部材の挿入状態を示す断面図である
【図１３】椅子の脚部におけるピン部材の抜脱状態を示す断面図である。
【符号の説明】
【００３４】
１  床面
１０  椅子
２０  基部
２１  基板
２２  挿通穴
２３  リブ
２４  環状凸部
２５  溶接ビード部
３０  脚柱取付部
３１  円筒部材
３２  ピン挿入穴
３３  凹状切欠部
４０  脚柱部
４１  円筒部材
４２  ピン挿通穴
４３  係止片
５０  ピン部材挿入部
６０  ピン部材
６１  延設部
６２  係止部
７０  座面取付部材
８０  座面
８１  溝部
【図１】
2008054791.tif 000003
【図２】
2008054791.tif 000004
【図３】
2008054791.tif 000005
【図４】
2008054791.tif 000006
【図５】
2008054791.tif 000007
【図６】
2008054791.tif 000008
【図７】
2008054791.tif 000009
【図８】
2008054791.tif 000010
【図９】
2008054791.tif 000011
【図１０】
2008054791.tif 000012
【図１１】
2008054791.tif 000013
【図１２】
2008054791.tif 000014
【図１３】
2008054791.tif 000015